(57)【要約】【課題】簡単に身につけることができ、また着用時に使用する紐を着用者に適した長さに調整することができるエプロンを提供する。【解決手段】本考案のエプロンは、着用者の胸部及び腹部を覆うエプロン本体２と、エプロン本体２を首に掛けるものであって、着用者の首の後ろに回される首掛け紐部３ａと、エプロン本体２を着用者の腰に装着するものであって、着用者の右腰から背中に回される右側腰紐部３ｂ及び着用者の左腰から背中に回される左側腰紐部３ｃとを備え、エプロン本体２は、着用者の右胸から右腰に向かって延在する右側紐通し穴２ｇと、着用者の左胸から左腰に向かって延在する左側紐通し穴２ｈとを備え、首掛け紐部３ａは、右側紐通し穴２ｇを通って右側腰紐部３ｂに一体につながるとともに左側紐通し穴２ｈを通って左側腰紐部３ｃに一体につながる、一本の紐であることを特徴とする。【選択図】図１
0003211646.tif 000002
【実用新案登録請求の範囲】
【請求項１】
少なくとも着用者の胸部及び腹部を覆う本体部と、該本体部を首に掛けるものであって、着用者の首の後ろに回される首掛け紐部と、該本体部を着用者の腰に装着するものであって、着用者の右腰から背中に回される右側腰紐部及び着用者の左腰から背中に回される左側腰紐部とを備え、
前記本体部は、着用者の右胸から右腰に向かって延在する右側紐通し穴と、着用者の左胸から左腰に向かって延在する左側紐通し穴とを備え、
前記首掛け紐部は、前記右側紐通し穴を通って前記右側腰紐部に一体につながるとともに前記左側紐通し穴を通って前記左側腰紐部に一体につながる、一本の紐であるエプロン。
【請求項２】
前記本体部は、着用者の首下に位置する上縁部の中央部分において、前記首掛け紐部とは別異に設けられる吊り下げ紐部を有する請求項１に記載のエプロン。
【考案の詳細な説明】
【技術分野】
【０００１】
本考案は、例えば料理や園芸などの作業を行う際に衣服の上に着用するエプロンに関するものである。
【背景技術】
【０００２】
従来、部屋の掃除や料理などの屋内での作業の他、園芸や家庭菜園などの屋外での作業を行うに当たっては、衣服への汚れを避けるためにエプロンが使用されている。
【０００３】
例えば特許文献１の図１には、着用した場合に人の正面を覆うエプロン中央部１２と、着用時に首の後側に回される紐２０Ｔと、エプロン中央部１２の上部において紐２０Ｔに対して反対側に設けられた留め部２２と、胴に沿って回される２本の紐（紐２０Ｌ、２０Ｒ）を備えるエプロンが示されている。
【先行技術文献】
【特許文献】
【０００４】
【特許文献１】実用新案登録第３２０９９０２号公報
【考案の概要】
【考案が解決しようとする課題】
【０００５】
ところで、特許文献１のエプロンを着用するにあたっては、まず、紐２０Ｔを着用者の首の後ろに回した後にこれを留め部２２に結びつけ、更に、紐２０Ｌ及び紐２０Ｒを着用者の胴の周りに回した後に、着用者の背面や正面でこれらを結びつける必要がある。すなわち、紐を２箇所で結ばなければならず、着用に手間がかかっている。一方、上述した留め部２２を省略して、首に回す紐の両端をエプロン中央部に固着させたものも知られている。しかし、このようなエプロンにあっては、首に回す紐の長さを調整することができないため、着用者によっては長すぎたり、短すぎたりすることになる。
【０００６】
本考案は、このような問題点を解決することを課題とするものであり、簡単に身につけることができ、また着用時に使用する紐を着用者に適した長さに調整することができるエプロンを提供することを目的とする。
【課題を解決するための手段】
【０００７】
本考案は、少なくとも着用者の胸部及び腹部を覆う本体部と、該本体部を首に掛けるものであって、着用者の首の後ろに回される首掛け紐部と、該本体部を着用者の腰に装着するものであって、着用者の右腰から背中に回される右側腰紐部及び着用者の左腰から背中に回される左側腰紐部とを備え、前記本体部は、着用者の右胸から右腰に向かって延在する右側紐通し穴と、着用者の左胸から左腰に向かって延在する左側紐通し穴とを備え、前記首掛け紐部は、前記右側紐通し穴を通って前記右側腰紐部に一体につながるとともに前記左側紐通し穴を通って前記左側腰紐部に一体につながる、一本の紐であるエプロンである。
【０００８】
このエプロンにおいて、前記本体部は、着用者の首下に位置する上縁部の中央部分において、前記首掛け紐部とは別異に設けられる吊り下げ紐部を有することが好ましい。
【考案の効果】
【０００９】
本考案のエプロンは、着用者の首に掛ける首掛け紐部が、着用者の腰に装着する際に使用する右側腰紐部及び左側腰紐部に対して、右側紐通し穴及び左側紐通し穴を通して一体につながって一本の紐として設けられている。すなわち、首に掛ける部分の紐の長さは、右側紐通し穴及び左側紐通し穴からの紐の長さを変えることによって調整することができるため、着用時に長く引き出しておくことによって首に簡単に掛けることができ、また首に掛けた後は、着用者に適した長さに調整することができる。しかも、このエプロンを装着する際に紐を結ぶのは１箇所だけで済むため、簡単に身につけることができる。
【００１０】
またエプロンは、これを使用しない時には首掛け紐部をフック等に引っ掛けておくことがあるが、上述したように１本の紐とする場合にあっては、首掛け紐部をフックに引っ掛けた際、本体部の自重でもって、この紐が右側紐通し穴及び左側紐通し穴から抜け出してしまうおそれがある。このような場合であっても吊り下げ紐部を設けておけば、この吊り下げ紐部を利用してフック等に引っ掛けることができる。
【図面の簡単な説明】
【００１１】
【図１】本考案に従うエプロンの一実施形態を示す正面図である。
【図２】図１に示すエプロンの背面図である。
【図３】図１に示すエプロンの使用状態を示す図である。
【考案を実施するための形態】
【００１２】
以下、図面を参照して、本考案に従うエプロンの一実施形態について説明する。なお、本明細書等における「上」、「下」、「左」、「右」の関係は、図３のように着用した状態において着用者から見た場合の位置関係をいう。
【００１３】
図１〜図３において、符号１は本考案に従うエプロンの一実施形態を示す。本実施形態のエプロン１は、エプロン本体２、紐３、吊り下げ紐４（図２参照）で構成されている。なお、エプロン本体２は、本明細書等における「本体部」に対応し、紐３は、「首掛け紐部」、「右側腰紐部」、及び「左側腰紐部」で構成される「一本の紐」に対応し、吊り下げ紐４は、「吊り下げ紐部」に対応する。
【００１４】
エプロン本体２は、概略、台形状になる上部と矩形状になる下部とを組み合わせた如き形態をなすものである。具体的には、直線状に横向きに延在する上縁部２ａと、上縁部２ａの左右両端部に連結するとともに円弧状に延在する右上側縁部２ｂ、及び左上側縁部２ｃと、右上側縁部２ｂ、及び左上側縁部２ｃの下端部にそれぞれ連結するとともに直線状に縦向きに延在する右下側縁部２ｄ、及び左下側縁部２ｅと、右下側縁部２ｄ、及び左下側縁部２ｅの下端部に連結するとともに直線状に横向きに延在する下縁部２ｆとを備える形状に形成されている。このような形態になるエプロン本体２は、図３に示すように、着用者の胸部及び腹部に加え、脚の腿を覆う大きさで形成されている。なお、エプロン本体２の形状や大きさ等は図示したものに限定されず、適宜変更可能である。
【００１５】
また、エプロン本体２の右上側縁部２ｂには右側紐通し穴２ｇが設けられ、左上側縁部２ｃには左側紐通し穴２ｈが設けられている。右側紐通し穴２ｇ及び左側紐通し穴２ｈは、図２に示すように長手方向の両端部を開放した袋状に形成されている。なお、本実施形態では２枚を重ね合わせてその長手方向に沿う端部を縫い合わせることによって袋状にしているが、１枚の縁部を折り返し、折り返した縁部の端部を縫い合わせるようにして袋状にしてもよい。
【００１６】
更にエプロン本体２の正面中央部には、上方を開放した矩形状のポケット２ｊが設けられていて、小物等を収納することができる。なおポケット２ｊの大きさや形状、位置、数等は、エプロン１の使用用途やデザイン等に応じて任意に選択可能である。また、ポケット２ｊを設けるか否かも任意である。
【００１７】
紐３は、その長さの半分程度の部位が右側紐通し穴２ｇと左側紐通し穴２ｈとの間に位置する一方、右側の端部と左側の端部はそれぞれ右側紐通し穴２ｇと左側紐通し穴２ｈに挿通されるものである。ここで、右側紐通し穴２ｇと左側紐通し穴２ｈとの間に位置する部分（首掛け紐部３ａ）は、図３に示すように、エプロン本体２を着用者の首に掛けるために用いられる部位である。また、右側紐通し穴２ｇよりも外側に位置する部分（右側腰紐部３ｂ）と左側紐通し穴２ｈよりも外側に位置する部分（左側腰紐部３ｃ）は、エプロン本体２を着用者の腰に装着するために用いられる部位である。図示は省略するが、本実施形態の紐３は、右側腰紐部３ｂは着用者の右腰から背中に回され、左側腰紐部３ｃは左腰から背中に回された際に、それぞれが着用者の背中で結ばれるような長さで形成されている。なお、紐３が長すぎる場合は、一旦背中に回した右側腰紐部３ｂ及び左側腰紐部３ｃをそのまま着用者の腹部まで回して腹部で結んでもよい。また本実施形態の紐３は、横断面形状が扁平状になるように形成されている。すなわち、首に掛けた際には首掛け紐部３ａが首に対して面接触するため、首に対する負荷を軽減することができる。なお、デザイン等によっては、横断面形状が円形状になるものなど、他の形状のものを採用してもよい。
【００１８】
吊り下げ紐４は、図２（ａ）に示すように、ループ状にした紐の端部をエプロン本体２の背面における上縁部２ａの中央部分に縫い付けたものである。
【００１９】
ところで、上述したエプロン本体２、紐３、及び吊り下げ紐４は、種々の素材で形成することができる。例えば、綿、麻、絹等の天然繊維やポリエステル樹脂繊維等の合成繊維で形成される織物や編物を使って形成してもよいし、合成樹脂シートや革を使って形成してもよい。また、素材の表面にコーティングを施したものを使って形成してもよい。また、背面側にも装飾性の高い素材を用いることにより、リバーシブル仕様にしてもよい。
【００２０】
このような形態になるエプロン１を着用するに当たっては、まず、着用者の首の後ろに回すようにして首掛け紐部３ａを首に掛ける。この時、首掛け紐部３ａをエプロン本体２から長めに引き出しておけば、首に簡単に掛けることができる。そして、エプロン本体２に対して右側腰紐部３ｂ及び左側腰紐部３ｃを引っ張って、首掛け紐部３ａが着用者に適した長さになるように調整する。その後は、右側腰紐部３ｂを着用者の右腰から背中に回すとともに、左側腰紐部３ｃを左腰から背中に回して、それぞれを着用者の背中で結ぶことによってエプロン１を身につけることができる。このように、エプロン１を装着する際に紐を結ぶのは１箇所だけで済むため、簡単に身につけることができる。
【００２１】
また本実施形態のエプロン１は、例えば部屋の壁に設けたフック等に対して吊り下げ紐４を引っ掛ければ、これを吊り下げておくことが可能である。すなわち、本実施形態のエプロン１によれば、作業後は簡単に片付けることができるうえ、作業を始める際にはすぐに身につけることができる。
【符号の説明】
【００２２】
１：エプロン
２：エプロン本体
２ａ：上縁部
２ｂ：右上側縁部
２ｃ：左上側縁部
２ｄ：右下側縁部
２ｅ：左下側縁部
２ｆ：下縁部
２ｇ：右側紐通し穴
２ｈ：左側紐通し穴
２ｊ：ポケット
３：紐
３ａ：首掛け紐部
３ｂ：右側腰紐部
３ｃ：左側腰紐部
４：吊り下げ紐
【図１】
0003211646.tif 000003
【図２】
0003211646.tif 000004
【図３】
0003211646.tif 000005